(57)【要約】【課題】柔軟性のある実時間通信の記録機能を提供する。【解決手段】セル電話機、ディジタルカメラ、あるいは追跡装置にようなコンシューマ電子装置を、実時間の音声及び／または映像、並びに位置にもとづく情報を記録するように設計する。この記録は遠隔監視可能であり、そして、個人用通信記録台帳を作成する目的、及び移動中の人または物体を追跡する目的で記憶する。
2005509337.tif 000002
【特許請求の範囲】
【請求項１】
実時間信号を記憶装置に記録する第１記録を可能にすべく適応させた第１機能と；
前記実時間信号に関連するものとして付け加えることに使用可能な関連情報を前記記憶装置に記録する第２記録を可能にすべく適応させた第２機能と；
前記実時間信号及び前記関連情報の、少なくとも一部の送信を可能にすべく適応させた第３機能と
を具えていることを特徴とするコンシューマ携帯電子装置。
【請求項２】
前記実時間信号が、音声信号と映像信号の少なくとも一方から成ることを特徴とする請求項１に記載の装置。
【請求項３】
前記実時間信号及び前記関連情報を記録することにより、特定の個人用通信記録の作成が可能であることを特徴とする請求項１に記載の装置。
【請求項４】
前記装置を、衣服と一体にしたことを特徴とする請求項１に記載の装置。
【請求項５】
前記装置を、搬送手段と一体にしたことを特徴とする請求項１に記載の装置。
【請求項６】
前記関連情報が、位置スタンプを含むことを特徴とする請求項１に記載の装置。
【請求項７】
前記第１記録及び前記第２記録の少なくとも一部が、遠隔的に制御可能であることを特徴とする請求項１に記載の装置。
【請求項８】
前記送信の少なくとも一部が、遠隔的に制御可能であることを特徴とする請求項１に記載の装置。
【請求項９】
前記装置が、前記実時間信号をフィルタリングして、前記第１記録時に記録する前の前記実時間信号を表現する部分を取り出すことを可能にすべく適応させた第４機能を具えていることを特徴とする請求項１に記載の装置。
【請求項１０】
前記装置が物体または人を追跡する装置であり、前記装置が、前記実時間信号の前記第１記録、並びに前記関連情報の前記第２記録を、前記記憶装置から提供することを特徴とする請求項１に記載の装置。
【請求項１１】
前記第３機能が、第三者による前記装置の記録動作の検出を可能にする送信中に、記録署名を挿入する能力を具えていることを特徴とする請求項１に記載の装置。
【請求項１２】
実時間の音声または映像信号を記憶装置に記録するステップと；
前記実時間信号に関連するものとして付け加えることに使用可能な関連情報を、前記実時間信号と共に前記記憶装置に記録するステップと；
要求時に、記録されている前記実時間信号及び前記関連情報の、少なくとも一部を送信するステップと
を具えていることを特徴とする記録方法。
【請求項１３】
前記関連情報が、位置スタンプを含むことを特徴とする請求項１２に記載の方法。
【請求項１４】
さらに、前記送信を遠隔的に制御するステップを具えていることを特徴とする請求項１２に記載の方法。
【請求項１５】
さらに、前記実時間信号をフィルタリングして、前記第１記録時に記録する前の前記実時間信号を表現する部分を取り出すステップを具えていることを特徴とする請求項１２に記載の方法。
【請求項１６】
プログラム可能な装置が、請求項１〜１１のいずれかに記載の装置としての機能を実現することを可能にするソフトウエア・アプリケーション。
【発明の詳細な説明】
【技術分野】
【０００１】
（関連出願）
本願は、米国特許出願番号09/927,592、'01年8月10日出願、発明者Eugene Shteyn（代理人番号US 018119）、発明の名称"CONVERSATION REWIND"の、37CFR1.53(b)の下での同時係属出願（ＣＩＰ）である。
次の関連出願は、参考文献として本明細書に含める。
米国特許出願番号09/464,855、'99年12月16日出願、発明者William Bulthuis他（代理人番号PHA 23,875）、発明の名称"HAND-EAR USER INTERFACE FOR HAND-HELD DEVICE"
米国特許出願番号09/780,229、'01年2月9日出願、発明者Rik Sagar（代理人番号US 018001）、発明の名称"RAPID RETRIEVAL USER INTERFACE DESIGNED AROUND SMALL DISPLAYS AND FEW BUTTONS FOR SEARCHING LONG SORTED LISTS"
米国特許出願番号09/642,713、'00年8月21日出願、発明者Leila Kaghazian（代理人番号US 000213）、発明の名称"SELECTIVE SENDING OF PORTIONS OF ELECTRONIC CONTENT"
【０００２】
（発明の背景）
（発明の分野）
本発明は、特にコンシューマ（消費者向け）電子機器の分野における、実時間通信の記録（録音）の分野に関するものである。
【０００３】
（関連技術）
電話技術では、着信者が電話に応答しない際にボイスメールを録音することが知られている。911サービス（"911"は米国内の緊急呼出し用の番号である）でも、サービスの一部として、電話の会話を録音する。しかし、録音サービスは、すべてのユーザの必要に応じるためには柔軟性が不十分である。
【０００４】
（発明の概要）
実時間通信用の追加的な記録機能を提供することが望まれる。
このことは、ユーザが実時間の通信を開始または受理したことに応答して、実時間の通信を自動的に記録することによって有利に達成することができる。記憶している通信は、メモリー手段として利用するか、あるいは会話のコピーを他の個人に転送する機会として利用することができる。例えば、ユーザが通信をホームサーバに記憶したいこと、あるいはユーザが通信を自動的に筆記して、これをテキスト（文字列）ファイルとして記憶または転送したいこと、等があり得る。他の例として、こうした自動記録は、移動電話機のユーザに利点をもたらす。こうした記録が利用可能になるにつれて、ユーザは、例えば運転中の実時間での通信中に、記録を取るか、あるいは動作を行う代りに、これらの動作を、より好都合な時に後回しすることができる。従って本発明は、実時間の通信を記録して、これをデータとして記憶して、人間あるいはデータ処理システムが、これらのデータを検索することを可能にする。記録している通信中で伝えられた過去の出来事についての情報を見つけ出して、ある出来事があったこと等に関係することを特定あるいは確認できることは、役に立つ特徴である。しかし本発明は、移動電話機のような通信装置、あるいはサービス提供者（プロバイダ）が消費者（コンシューマ）に提供する通信サービスに統合することが好ましい機能を、消費者にもたらすものである。
【０００５】
本発明は特に、コンシューマ電子通信装置に関するものである。この装置は、装置による実時間の通信を可能にすべく適応させた第１の機能、及び装置のユーザが実時間の通信を開始または受理したことに応答して、指定がなければ（デフォルトで）実時間の通信の自動記録を可能にすべく適応させた第２の機能を有する。第１の機能は、実時間の音声（オーディオ）及び／または映像情報をユーザに提供して、ユーザからの音声及び／または映像情報を受信するための、少なくとも１つのユーザインタフェース機構を具えていることが好ましい。この装置は、ユーザが実時間の通信の一部を記録用に選択することを可能にするユーザ入力を具えていることが好ましい。例えば、ユーザが装置を経由して通信相手と問題を話し合っている間に、ユーザは、話し合いで出た特定情報、例えば言われた電話番号、道案内の方向、街区の番地、等を後で利用するために記憶したいことがある。そしてユーザは通信相手に、この特定情報の繰り返しを求める。ユーザが装置の「記録」キーを押したままにする間に、繰り返された特定情報が記録される。
【０００６】
この装置は、記録した通信をユーザが検索可能な形式に編成する少なくとも１つの編成機構を具えていることが好ましい。この編成は、例えば通信を記録した日時、発呼者のＩＤ（identification：識別子）、または他の基準にもとづいて行う。
【０００７】
この装置は、記録した通信を記憶するためのオンボード（基板上）記憶装置を有することが好ましい。例えば、この装置は、実時間で行われた通信または会話のコピーを記憶する小型の固体素子メモリーカード／モジュールまたはＨＤＤ（hard disc drive：ハードディスク駆動装置）モジュールを有する。このモジュールは着脱可能であり、ラップトップまたはデスクトップＰＣ（パーソナルコンピュータ）と共に使用可能であることが好ましい。
【０００８】
本発明の他の好適例では、前記装置が、前記記憶装置に信号を伝送するための出力を有して、この信号は、前記記憶装置で記録する実時間の通信を表現するものである。前記装置は、前記記憶装置と有線または無線で接続する。例えば、前記装置は移動電話機を有して、前記記憶装置は、ブルートゥース（Bluetoot）（登録商標）または他の短距離通信プロトコルを用いて前記移動電話機と通信する独立したモジュールを具えている。前記記憶モジュールは、スーツケースに入れられるか、あるいは他の好都合な場所で運搬可能にして、その重量または形状が、電話機の使用の妨げにならないようにする。
【０００９】
前記装置が非選択機構を具えて、特定の通信を記録しないようにすることが好ましい。例えば、この非選択機構は、少なくともユーザまたは実時間の通信に関係する通信相手に、記録を省略することが望ましいか否かを信号通知することを求めるプロンプタ（入力促進表示器）を具えている。他の例として、前記非選択機構は、装置の外部に配置した、個別の、物理的に起動可能な非選択装置を具えている。
【００１０】
前記装置は、最も新しく記録した通信の少なくとも一部、例えば最後の５分間を再生するための最終通信巻戻し機構を具えていることが好ましい。例えば、前記最終通信巻戻し機構は、この部分を検索するための、前記装置の外部に配置した、個別の、物理的に起動可能な非選択機構を具えている。他の例として、前記装置が音声で制御可能であり、前記巻戻し機構を特定の音声コマンド（命令語）で起動させて、ハンズフリー（手放し）の操作を可能にする。例えば、満杯になったら先頭から上書きする円形バッファ（リングバッファ）によって、最後のＮ分の記憶を達成する。
【００１１】
前記装置の好適例は、記録した通信全体をスクロール（連続送り／戻し）するための指回しダイヤルを具えている。指回しダイヤルは、前記装置を手持ちしている間の容易な操作を可能にする。
【００１２】
本発明は、これに限らないが特に、移動電話機を具えた上述した装置に関するものである。
【００１３】
本発明の好適例は、加入者にサービスを提供する方法で表現される。この方法は、少なくとも１人の加入者が開始または受理した実時間の通信の少なくとも一部を、自動的に、あるいは指定がなければ記録することを可能にするステップを具えている。この方法は、少なくとも１人の加入者の要求に応答して、記録している実時間の通信のうち加入者が選択したものを再生することを可能にするステップを具えている。このようにして、記録及び記憶をネットワーク、例えば通信ネットワーク上の専用サーバーに委任することができる。結果として、通信装置を無駄が少ない状態に保って、旧来の装置がサービスを利用することができる。ネットワークは、記録している通信を、少なくとも１人の加入者の検索及び再生用に編成することを可能にする。例えば第１の加入者が、時刻に応じて編成した記録が欲しければ、最も新しく行われた記録をリストの最上位に提示する。他の加入者は、これらの記録を発呼者のＩＤに応じて編集したい。さらに他の加入者は、これらの記録を音声（オーディオ）フォーマットで記憶したく、さらに他の加入者は、これらの記録を、音声認識ソフトウエアを用いて音声からの自動筆記によって作成したテキストフォーマットで記憶したい。特定の加入者は、これらの記録を、その時点での必要に応じた種々の方法で編集または表現できる選択肢が欲しいことがあり、これらの方法の例は上述した通りである。そして適切なユーザインタフェース（例えばグラフィックまたは音声による制御）は、加入者が編成または表現のモードを選択することを可能にする。記録、処理、及び記憶は専用サーバーに委任するので、記録、処理、及び編成の品質を、最適化及び／または顧客対応することができる。これらの動作については妥協する必要はない、というのは、専用プロセッサはサービスプロバイダ（提供者）によって、サービスを実現するための現在技術のソフトウエアを用いて専業的に保守されているからである。
【００１４】
前記サービスは、加入者及び／または加入者の通信相手に、選択という特徴を提供して、これらの人たちの通信のうち、所定のものを記録しないようにすることが好ましい。前記サービスは、加入者が、実時間の通信の一部を録音用に選択できるようにすることが好ましい。例えば、通信中に装置のボタンを押して記録を自動的に起動させて、ボタンを離すまで、通信の一部を連続的に記録する。
【００１５】
前記サービスは、加入者が最も新しく記録した通信の少なくとも一部のコピーを検索するための最終通信巻戻しの特徴を、加入者に提供することが好ましい。
【００１６】
本発明の実現は、記憶装置を有するモジュールを使用し、このモジュールは通信装置に結合され、装置のユーザが実時間の通信を開始または受理したことに応答して、実時間の通信を自動的に記録することを可能にする。このモジュールは、電撃的に、電気的に、あるいは無線によって装置に結合する。このモジュールは、装置のユーザインタフェースを介して制御可能であることが好ましい。例えば、特定のキーまたはキーのパターンを、ユーザとモジュールとの対話用に確保して、例えばモジュールに記憶している通信のスクロール（前後移動）、あるいは最も新しく記録した通信の再生、あるいは実時間通信中のユーザの入力による記録の起動を実現する。前記モジュールは、記録している通信をユーザにとって検索可能な形式に編集するための少なくとも１つの編成機構を具えていることが好ましい。前記モジュールは、特定の通信を記録しないように適応させた非選択機構を具えていることが好ましい。
【００１７】
本発明は、データ処理装置によって読み取り可能な記憶媒体にも関するものである。この媒体は、次の動作を実行すべく適応させたソフトウエアを保持する：
・コンシューマ電子通信装置のユーザが生の通信を開始または受理したことを検出する。
・この生の通信を記録する。この記録はユーザが決定または選択した条件下で行うことが好ましい。このソフトウエアは、前記記録を、例えばデフォルトの（無指定時の標準的な）、あるいはユーザまたは通信システムが指定した遠隔目的地に転送することも可能にすることができる。本発明のさらなる目的及び利点は、以下で明らかにする。
【００１８】
本発明の他の好適例は、ユーザが、例えば捕捉装置を用いて、可聴及び／または可視の、印象及び／または関連情報を捕捉することを可能にするシステム、方法、及び／または装置によって表現される。こうした装置が捕捉したデータは、後の処理または使用のために記憶して、例えばリモート（遠隔）サーバーまたはリモート装置に転送すること、あるいは即時に処理して、処理したデータを記憶及び／または転送することができる。捕捉したデータは、タイムスタンプ（日時印）及び位置スタンプを付けて記憶、処理、または転送することが好ましい。後者の（スタンプを付ける）場合には、ＧＰＳシステムあるいは他の位置検出技術（例えば陸地、海洋、または空中ベースのビーコン）が、情報の特定部分の記録、処理、または転送の時点での、ユーザの地理的位置用のデータを提供する。
【００１９】
本発明の１つの実現では、記録の集合がユーザの個人用通信記録または日記／日誌を形成する。本発明の要点のさらに他の実現は、前記捕捉を、事象（例えばユーザの心拍、特定音の検出、特定物体が範囲内に入ったこと、等）により起動して連続的に行うことを可能にし、そしてユーザ制御可能（発声起動、押しボタン）にするか、あるいは他の、できれば遠隔位置にいる通信相手による制御を可能にする。後者（遠隔位置で制御可能）の場合には、こうした捕捉装置を、例えば衣服あるいは自転車と一体にして、子供に与えることができる。親はいつでも、この装置を遠隔的に作動させることができる。本発明の１つの好適例では、装置が捕捉したデータ（例えば音声、映像、及び／または他のデータ）を、リモート（遠隔）サーバーに送信するか、あるいは自分の所に記憶して、後にダウンロード及び後処理する。このデータは、既存の基盤（例えば双方向衛星、ＧＳＭ、あるいは無線ローカルエリアネットワーク）を用いてＲＦ（radio frequency：無線周波数）波上で送信することができる。捕捉したデータは、捕捉した音声及び／または映像に関連情報を伴わせて構成することができる。関連情報の例は、時間にもとづくもの、（例えばＧＰＳシステムからの）位置にもとづくもの、局所的な状態にもとづくもの、人の状態にもとづくもの、等である。一般的に言って、前記捕捉装置は、通常移動する種々の物体（自動車、自転車、等のあらゆる交通手段）、人、または動物用の追跡装置とすることができる。この追跡装置は、好適には、（少なくとも、捕捉した音声／映像を関連情報と共に送信することを可能にするオン／オフ切り換えについては）遠隔制御可能とすべきである。捕捉した音声／映像データは、考えられる記憶及び／または送信を行う前に最良のフィルタリングを行って（少なくとも基本的な特徴あるいは関係するシーンを含む版のデータにして）、データ量を切り詰めることができる。このことは、データ全体にわたる効率的な探索を促進する。このことは、追跡システム用の記憶並びに伝送帯域の要求も軽減する。これらのデータは、追跡装置内に記憶すること、並びに遠隔位置に記憶することができる。
【００２０】
本発明のさらに他の実現では、記録の蓄積が、ユーザに用の個人通信記録または日記／日誌を形成して、この記録の蓄積は、後の検索用に、通信記録台帳の見出しを自動的に作成するために使用することができる。
【００２１】
本発明の他の好適例では、タイムスタンプ及び／または位置スタンプを使用して、例えばユーザにとって何らかの関係があると思われる情報を検索するためのデータベースに入る。例として、位置スタンプを用いて検索した情報は、例えば地理不案内の地域を旅行中のユーザに、この地域の情報を提供する。このことは、旅行者あるいは出張者にとって非常に有用である。タイムスタンプと組み合わされた検索情報は、例えば、これから行われる地域的な行事についての事前の知識を提供することができる。前記検索情報は、例えば関連情報のデータベースから検索することができるが、例えば無線送信媒体（例えばＲＦ波）を用いて動作するサービスからも検索することができる。
【００２２】
（好適な実施例の詳細な説明）
本明細書では、「通信」とは、電話呼出しを含む意味で用い、それが音声、映像、あるいはマルチメディアであるかは問わず、そして、慣例の電話装置経由で行うか、あるいはインターネットまたは他のデータネットワーク経由で行うかは問わない。「会話」とは通信と同義であり、非音声の媒体を排除するものではない。
【００２３】
【特許文献１】米国特許出願09/780,229  図１に、本発明によるコンシューマ電子装置１０１を図式的に示す。図に示す特定の、コンシューマ電子装置は移動電話機である。しかし本発明は、ビデオ電話機、またはインターネットに接続したパーソナルコンピュータを含む他の実時間通信装置を含む他の種類の電話機にも同等に適用可能である。図中には、ディスプレイ１０２、キーパッド１０３、及び追加的な機能指定装置１０４を示してある。図に示す機能指定装置１０４は、記録（録音）非選択ボタン１０５、最終会話巻戻しボタン１０６、及び指回しダイヤル１０７を含み、これらは冒頭の関連出願に挙げた米国特許出願09/780,229によることができる。これらの機能指定装置は固定機能にすることもプログラム可能（プログラマブル）にすることもできる。タッチスクリーンまたはポインティングデバイス（指示装置）のような、機能を指定するための他の選択肢は、通常の当業者にとって周知であり、図に示す装置と容易に置き換えることができる。
【００２４】
図２に、本発明のネットワークの具体例を示す。複数のコンシューマ電子装置２０１が、中央サーバー２０４にネットワーク接続されている。サーバー２０４は、メモリー２０６及びプロセッサ２０５を具えている。コンシューマ電子装置２０１の各々は、プロセッサ２０２及びメモリー２０３も具えている。コンシューマ電子装置２０１は実時間通信装置を具えて、これらは例えば、図１のセル電話機、他のあらゆる種類の電話機、パーソナルコンピュータ、あるいはセットトップボックス付きのテレビジョンである。このネットワークは、電話網、ＬＡＮ（ローカルエリアネットワーク）、インターネット、あるいは他のあらゆる種類のアナログまたはディジタルネットワークを含むことができる。接続２０７は有線にも無線にもすることができる。
【００２５】
図３に、本発明の動作をフローチャートで示す。これらの動作は局在（ローカル）プロセッサ２０２、またはネットワーク用の中央プロセッサ２０５で行われるか、あるいは、これらの動作を局在プロセッサとネットワーク・サーバーとの間に分散させることができる。
【００２６】
ステップ３０１では、通信が開始されたか否かのテスト（判定）を行う。通常は、ユーザが電話に出るか、あるいは、ユーザが呼出しを行うと、通信が開始される。ユーザが電話機の使用を開始し次第、記録を開始することは、望ましいことも望ましくないこともあり得る。呼出しは、電話機から送信されるトーン（音響信号）の聴取に応答して検出することができる。実際の双方向通信が確立されるまで待機することが好ましく、これは遠隔地のユーザが電話機を取った際か、遠隔地のユーザのボイスメールに応答した際である。例えば、ユーザが呼出しを開始した場合に、その声を他端で検出した際に記録を開始することができる。
【００２７】
本明細書における「リモートユーザ（遠隔地のユーザ）」とは、他のユーザが非常に遠距離にいることを必ずしも意味しない。リモートユーザは第１ユーザから廊下を隔てただけのこともあり得る。「リモートユーザ」とは、主体的に記録を開始しようとしている装置を実際に使用しているユーザ以外のユーザを意味する。リモートユーザは同じ装置を制御する必要もなければ、互換性のある装置を有する必要もない。
【００２８】
ステップ３０２では、誰かが記録（記録動作）を非選択にしているか否かをテストする。この非選択は、ユーザがボタン１０５を押す形にすることができる。このボタンは、例えば、呼出し毎に押す必要のある種類のものか、あるいは、１回押せば再び押すまで下がった状態である種類のものとすることができる。あるいは、ローカル（局在）通信装置内またはネットワーク内に、プログラム可能な非選択オプションを存在させることができる。
【００２９】
これに加えて、一部の国の法律は、リモートユーザに記録を非選択にする機会を与えることを要求していることがある。このことは、例えば、リモートユーザが記録を望まなければ、会話を始めるより先に自分のキーパッド上の特定キーを押すことを、リモートユーザに対して自動的に促すことによって達成することができる。
【００３０】
非選択を検出した場合には、通信を選択せずに（ステップ３０４）、ステップ３０１に制御を戻す。
【００３１】
非選択を選択しない場合には、ステップ３０３で通信を記録して、利用可能な形式で記憶する。この記憶には、ダイヤルトーン及び数字トーンのような無関係の情報の消去を含めることができる。他の無関係な情報も消去することができる。記憶及び／または検索を促進するための情報を追加することができ、これらの情報は例えば、呼出しを行った時刻、呼出しを受信した位置（セル電話の位置は追跡可能である）、等である。
【００３２】
検索可能な形式は通常、記憶しているデータを編成する形式を含む。中央サーバー２０４を通信の記憶に使用する場合には、前記編成は、キーワード指向のデータベースを含めたあらゆる適切な形式を取ることができる。次のものは、設計者が採用可能な編成方法の例である：
・受信した順、例えば順次メモリーアクセスによる；
・受信日時、例えば直接メモリーアクセスによる；
・通信に参加したリモートユーザの特定の識別子（ＩＤ）、例えば電話番号；
・ユーザが選択した名前を与えたフォルダ、このフォルダ内ではさらに、通信を編成する。ユーザはまず通信をキャッシュ内に一時記録して、ユーザは、例えば手動あるいは他のユーザ入力によって、このキャッシュから記録を取り出して、適切なフォルダ内に記憶することができる。例えば、発呼者のＩＤを用いて、記録を自動的に適切なフォルダに割り付けることができる。
【００３３】
前記リストは、システムインタフェース及び／またはユーザインタフェースの精通した設計者が、通信を編成するために採用可能な多数の方法のうちの少数例を挙げたに過ぎない。
【００３４】
通常は、種々のデータベース管理技法を用いる必要がある。例えば、特定日数より前の通信はすべて消去するか、あるいは、記憶可能な通信の数に特定の限度数を設けることが望ましいことがある。
【００３５】
【特許文献２】米国特許出願09/464,855  設計者は、ごく一部の通信、恐らくは最新の１つか２つをメモリー２０３に記憶して、大部分の通信は、ネットワークサーバーに関連するメモリー２０６に記憶する選択を行うことができる。指回しダイヤル１０７を具えて、記憶している電話呼出し全体にわたってスクロールすることを容易にすることが有利であり、このことは例えば、冒頭の関連出願に挙げた米国特許出願09/464,855に記載されている。
【００３６】
通信の編成は、多数の有利な特徴をもたらす。例えば、「最終会話巻き戻し」の特徴を実現することができる。こうした特徴は、例えばボタン１０６によって作用させることができ、そして、ユーザが最も新しく記録した会話を再生することを可能にする。こうした再生は、ユーザが理解できなかったことを記録するか、あるいは理解できなかった点を明確にすることを可能にする。このシステムは、次の追加的な能力を提供することが好ましい：
・通信をディジタルフォーマット（形式）、例えばWAVフォーマット、MP3フォーマット、等で記憶することができる。
・再生制御、例えば速度、音量、休止（ポーズ）、巻き戻し、早送り、等；
・会話、あるいはそれを符号化したものを、例えばボイスメールまたはｅ−メールの添付ファイル等として、他のユーザに転送すること；
・記録を追加的な媒体に転記すること；
・記憶している会話を、音声認識によってテキスト（文字列）に変換して、こうしたテキストをファクシミリまたはｅ−メール経由でリモートユーザーに転送すること；
【００３７】
サーバー２０１の動作は商業的なサービスとすることができ、例えば移動電話の場合には無線サービスプロバイダによる。サービスプロバイダは、通信の記録、記憶、及び検索に対して課金することができる。
【００３８】
装置のユーザが、自分が開始した呼出し、並びに着信した呼出しが記録されるようにできることが好ましい。本発明の一実施例では、ダイヤルトーンまたは「呼出し」トーンを検出し次第、記録を開始する。一部の国は、異なる呼出し状態に対して異なるトーンを使用するが、これらのトーンの周期性及びスペクトルは、これらのトーンをそうしたものとして認識するのに十分なものである。受信した呼出しについては、記録の開始は大きな問題ではない、というのは、ユーザが電話に出た時点で記録を開始できるからである。装置で開始した呼出しについては、（呼出し完了後の、従って記録後の）後処理ステップ中に随意的に、ソフトウエアの制御下でダイヤルトーンを消去して、記録を短縮する。他の実施例では、単一の話中音（ビジートーン）または呼出し中の音（リングバックトーン）を、ソフトウエア手続きを用いて記録して、このソフトウエア手続きは、反復的なトーン列中に、記録メモリ中の前のトーンを現在のトーンで上書きし、上書き前後のトーンは類似したものである。さらに他の実施例では、（通信相手が電話を取った際の）ダイヤルトーン列の急な中断を、記録を開始する信号として作用する音響的な目印とすることができる。
【００３９】
本発明は特に、セル電話のような移動通信装置のユーザに関係するものである。通常は、ユーザは移動時には、電話機を操作する機会、及び通信相手が電話を通して実時間で提供する情報の特定部分を書き留める機会が共にない。同様に、運転中に呼出しを行うか、あるいは呼出しを受ける際には、ユーザは交通状況を注視して、道路状況に気を付けていなければならない。従って、必要な時と場合に会話に答えられることは、ユーザにとって有利なことである。
【００４０】
記録は装置そのもので行うことができるが、そうする必要はない。例えば、セル電話機に記録構成要素を設けることができ、この記録構成要素は例えば、フラッシュメモリーカード、あるいは小型形状のハードディスク駆動装置（ＨＤＤ）で構成する。こうした記録構成要素は、セル電話機内に収容するか、あるいは、電撃的または無線的に通信装置に結合した分離モジュールを作製することができる。後者（分離モジュール）の場合には、このモジュールは、例えばブルートゥース（登録商標）のような適切な短距離通信プロトコルを使用することが好ましい。分離モジュールとしての記録構成要素は、本体販売後（アフターマーケット）の追加品（アドオン）とすることができる。記録の再生は、セル電話機のスピーカ、ラップトップＰＣ（パーソナルコンピュータ）のスピーカ、または他のスピーカを通して行うことができ、例えば、適切な接続を用いてユーザのカーステレオシステムで行うことができる。あるいはまた、前記モジュール自体にスピーカを設けることができる。
【００４１】
前記記録は、通信ネットワーク上のサービス（の一部）とすることもできる。例えば、ユーザがネットワーク上の記憶空間を借りて、例えばボイスメールについて行うのと同様に、記録を一時記憶することができる。アプリケーションサーバーは通信情報を処理して、これらの通信情報を、この通信情報に関係する音声ファイル及び期待される品質に適したディジタルフォーマットに変換して、この変換は例えばWAVフォーマットを使用する。ユーザは、専用電話番号または他の一意的な識別子、例えばＵＲＬ（uniform resource locator：インターネット上の情報資源格納場所を指定する表記方法）を選択すれば、自分の記録にアクセスすることができる。あるいはまた、上述した「最終会話巻き戻しボタン」の代りに、前記通信装置または記憶構成要素は、１つ以上の記録のネットワークからの検索を、使い勝手の良い方法で開始するための、他の専用ボタンまたはユーザ入力インタフェースを持つことができる。記憶している記録へのユーザのアクセスは、認証プロセスを通すことが好ましく、この認証プロセスは例えば、パスワードまたは他の一意的なユーザ及び／または通信装置の識別子を用いて行う。ネットワーク上に記録を記憶している場合には、前記通信装置は、これらの記録を行うためのコントローラ、及び／またはネットワークから検索するためのコントローラとして作用することができる。その代りに、あるいはこれに加えて、前記記録が音声データであっても筆記したテキストデータであっても、前記記録をネットワークから検索可能にして、この検索は他の装置、例えば適切な接続ハードウエアを有するラップトップＰＣまたはデスクトップＰＣから行う。
【００４２】
前記記録は、できればアナログ信号をサンプリングした後のディジタル形式で記憶することが好ましい。このようにして、圧縮技法を用いてメモリー空間を節約することができる。ディジタル圧縮は、記録を例えばｅ−メールの添付ファイル、音声ベースの通信装置用の独立した音声ファイルとして転送する際には、帯域も節約する
【００４３】
発呼者のＩＤまたは特徴付け情報（例えば日時、地理的位置、曜日、等）を用いて、どの通信の記録を省略してどの通信の記録を明示的に実行するかを選択することができる。
【００４４】
図４に、本発明によるセル電話機４００のブロック図を示す。セル電話機４００は、マイクロホン４０２及びスピーカ４０４を具えている。マイクロホン４０２からのアナログ信号は、Ａ／Ｄ（アナログ−ディジタル変換器）４０６でサンプリングされてディジタルフォーマットに変換される。そしてディジタル化した音声は音声コーデック（符号化復号化器）４０８に供給される。周知のように、ディジタル化した音声はアンテナ４１０による送信用に符号化され、音声を表現するパラメータに符号化して、送信の帯域要求を最小化することが好ましい。送信されるパラメータは、受信端での音声の再構成を可能にするものである。同様に、アンテナ４１０で受信した信号は、離れた通信相手からの音声入力を表現するものであり、コーデック４０８によって処理されるパラメータの形であり、Ｄ／Ａ（ディジタル−アナログ変換器）４１２によってアナログ信号に変換されて、スピーカ４０４によって再生される。この種の処理はディジタルセル電話の現在技術において既知である。セル電話機４００は記憶装置４１４を具えて、記憶装置４１４は、セル電話機４００の通常の使用では、ユーザがマイクロホン４０２によって入力した音声を表現するパラメータ、及びリモートユーザから受信してスピーカ４０４で出力する音声信号を表現するパラメータを記憶する。ここで、記録した会話を巻き戻すためには、記憶装置４１４に記憶しているパラメータをコーデック４０８に供給する。そしてコーデック４０８はディジタル化された会話を再構成して、スピーカ４０４によって出力する。ユーザが巻き戻しを制御するために、ユーザインタフェース（ＵＩ）４１６を設ける。
【００４５】
このように、記憶装置４１４に記憶しているデータは、記録している会話を表現する。本発明の簡単な実現では、記憶装置４１４がＦＩＦＯ（first-in, first out：先読み先出しメモリー）を具えて、例えば１分または２、３分の会話と等価なデータ量を、既に記憶している部分に上書きしないように記憶する。このことは、即座の巻き戻しを可能にするか、あるいは促進する。このデータは、コーデック４０８をエミューレート（動作を模擬実行）または表現するレンダリング・ソフトウエアに伝送するか、さもなければこうしたソフトウエアにとって利用可能にする。例えば、ユーザが記憶装置４１４の内容をＰＤＡ（personal digital assistance：個人用携帯情報端末器）、セットトップボックスまたはラップトップコンピュータにコピーまたはダウンロードして、市販で入手可能な音声−テキスト変換ソフトウエアと組み合わせたコーデック・ソフトウエアを用いて自分の所でレンダリング（最終表現形式化）する。ユーザは、ラップトップコンピュータまたはＰＤＡに記憶している、記録した会話毎のデータを取得して、このデータを、例えばｅ−メールの添付ファイルとして転送することもできる。
【００４６】
要約すれば、音声を処理する手段は、ディジタルセル電話では既に利用可能であり、そして本発明による自動またはユーザ選択可能な記録、及びユーザ制御（非選択；現在の会話の一部を記録）を実現するためには少々のオーバヘッドが必要である。
【００４７】
以上の発明は、実時間通信の記録に応えるものである。こうした通信は消えてなくなるものであり、その記録は上述した利用性及び利点を有する。この概念は、個人通信記録台帳の機能をカバーするものとして説明することができる。ユーザは、可聴及び／または可視の印象、及び／または関連情報を記憶するために捕捉する捕捉装置（例えばマイクロホン、固体カメラ）を携行する。これらの情報は、タイムスタンプ（日時印）及び／または位置スタンプと共に記憶することが好ましい。後者（位置スタンプ）の場合には、ＧＰＳシステムあるいは他の位置検出技術（例えばビーコン）が、情報の特定部分を記録した時点のユーザの地理的位置についてのデータを供給する。記録の蓄積が、個人通信記録台帳あるいは日記／日誌を形成する。捕捉は、連続的、事象起動（イベントトリガ）（例えばユーザの心拍、特定音の検出、特定物体が範囲内に入ったこと、等）、ユーザ制御（発声起動、押しボタン）、あるいは他の通信相手により制御可能にすることができる。最後の場合には、こうした捕捉装置を衣服あるいは自転車と一体にして、子供に与えることができる。親はいつでも、この装置を遠隔的に作動させることができる。この装置は、捕捉したデータをリモート（遠隔）サーバーに送信するか、あるいはこのデータを自分の所に記憶して、後にダウンロード及び後処理する。
【００４８】
消えてしまう情報の交換の他の例は、インスタント・メッセージである。ここでも、本発明の概念を適用すれば、インスタント・メッセージまたはチャットルームのアプリケーション中に表示されるメッセージのストリング（列）は不揮発メモリー（例えばＨＤＤまたは固体メモリー）にコピーされて、後に、例えば自動的に、あるいは特定のユーザ入力により検索される。自動モードでは、ユーザが事前に、記録に割り当てるべきメモリーの大きさを指定することができ、このことは、上述したＣＥ（consumer electronics：コンシューマ電子）通信装置についての例における最後の５分間の記録と同様に行う。現在、テキストのインスタント・メッセージは、ＰＣ（パーソナルコンピュータ）のスクロール目的用のフレームバッファにおいて利用可能であるが、通信をオフラインで見直すために利用可能な永久記憶装置はもはや存在しない。
【００４９】
図５に、捕捉／追跡装置を有するシステムのブロック図を示し、このシステムは、コンシューマ携帯捕捉／追跡装置５００、リモート記憶サービス装置５４０、通信記録台帳追跡センター５６０、及びＲＦ（無線周波数）搬送媒体５２０から構成される。携帯捕捉／追跡装置５００、リモート記憶サービス装置５４０、追跡センター５６０は、ＲＦ搬送媒体５２０上で互いに無線で通信可能である。このことは、ＧＳＭ、衛星無線、他のセル電話網、等の使用のような既存の基盤（インフラストラクチャ）にもとづいて行うことができ、これにより、携帯捕捉／追跡装置５００、リモート記憶サービス装置５４０、及び追跡センター５６０は、互いに近接して存在する必要はない。他の具体例では、リモート記憶サービス装置５４０が携帯捕捉／追跡装置５００に比較的近接して存在して、例えばブルートゥース（登録商標）無線プロトコルまたは無線ＬＡＮプロトコル（例えば802.11aまたは802.11bにもとづくもの）にもとづく通信が可能である。他の具体例では、例えばリモート記憶サービス装置５４０が存在せずに、携帯捕捉／追跡装置５００が追跡センター５６０と直接通信可能である。
【００５０】
携帯捕捉／追跡装置５００は、制御兼タイマー・モジュール５０２、マイクロホン５０４、カメラ５０６、プリプロセッサ（前処理装置）５０８、ＡＶ（audio-visual：オーディオビジュアル、音声映像）再生モジュール５１０、記憶モジュール５１２、ＲＦトランシーバ５１４、ＧＰＳ受信機５１６、及び環境入力５１８を具えている。携帯捕捉／追跡装置５００は、高い携帯性を目論んだＣＥ装置であり、ユーザが容易に携帯可能である。携帯捕捉／追跡装置５００は、マイクロホン５０４及びカメラ５０６を用いて、音声及び映像（ＡＶ）を捕捉することができる。捕捉したＡＶはプリプロセッサ５０８に渡して、プリプロセッサ５０８では、できれば（例えば、データ圧縮によって、及び／または代表的な音声及び／または映像フレームのみを通過させることによって）冗長性の低減を行う。プリプロセッサ装置５０８では、ＧＰＳ５１６から受信した位置データ及び／または制御兼タイマー・モジュール５０２からの時刻データのような関連情報を、ＡＶに追加することができる（ここでは結果的なデータをＡＶ追跡（トラック）データと称する）。そしてこれらのＡＶ追跡データを、記憶モジュール５１２に記憶する。記憶装置５１２からは、ＡＶ追跡データが、モジュール５１０における再生、及び／またはＲＦトランシーバ５１４による送信用に利用可能である。携帯捕捉／追跡装置５００は、制御兼タイマー・モジュール５０２の制御下にある。
【００５１】
記憶装置５４０は、ＲＦトランシーバ５４２、ポストプロセッサ（後処理装置）５４４、記憶モジュール５４６、及び制御モジュール５４８を具えている。記憶装置５４０の重要な機能は、携帯捕捉／追跡装置５００が送信したＡＶ追跡データを記憶することである。ＡＶ追跡データは、ＲＦトランシーバ５４２によって受信された後に、ポストプロセッサ５４４において後処理（例えば、ＡＶ追跡データに、装置及びユーザのデータ、または他の関連メタデータを付加すること）を受けることができる。その後に、このように修正したＡＶ追跡データを記憶モジュール５４６に記憶して、例えば追跡センター５６０からの要求時の、ＲＦトランシーバを用いた送信に利用可能にする。記憶装置５４０は、制御モジュール５４８の制御下にある。
【００５２】
追跡センター５６０は、ＲＦトランシーバ５６２、ポストプロセッサ５６４、記憶モジュール５６６、ユーザインタフェース・モジュール５７０、ＡＶ再生モジュール５７２、及び制御モジュール５６８を具えている。追跡センター５６０の重要な機能は、（例えば人または移動体が搬送中の）携帯捕捉／追跡装置５００を追跡できることである。追跡センター５６０は、携帯捕捉／追跡装置５００が位置、時刻、並びに音声−映像の状態を監視すること、及び携帯捕捉／追跡装置５００が通信記録付けをすることを可能にする。追跡センター５６０は、ＡＶ追跡データを直接受信することも、記憶装置５４０から中継してＲＦ搬送媒体５２０上で受信することもできる。そしてポストプロセッサ５６４は、受信したＡＶ追跡データを処理して、これにより、例えば通信記録台帳を作成するか、あるいは、受信したＡＶ追跡データをユーザに提供可能な形式に変換する。処理後の結果は記憶モジュール５６６に記憶して、後に例えばＡＶ再生モジュール５７２を用いて再生する。ユーザインタフェース・モジュール５７０は、追跡センター５６０の制御者が都合の良い時に、制御者に前記データを分析させるか、さもなければ消費させる。ユーザインタフェース・モジュール５７０は、この制御者が例えばコマンドを入力することも可能にして、これらのコマンドは、（ＲＦトランシーバ５６２及び５１４ＲＦ搬送媒体５２０上で）携帯捕捉／追跡装置５００に中継される。こうしたコマンドは、例えば捕捉したＡＶの記録のオン／オフ切り換え、カメラ５０６のズーム及び焦点の変更、ＡＶ再生モジュール５１０で再生すべき警報信号の送信、プリプロセッサ５０８の切り換え設定を含むことができるが、これらに限定されない。追跡センター５６０は、制御モジュール５６８を用いて制御される。
【００５３】
さらに、ＲＦ搬送媒体５２０上の通信を暗号化して、装置のユーザに追加的なセキュリティ保証を提供することができる。この通信は、非暗号化信号パターンのいわゆる「記録署名」を含むこともでき、この「記録署名」は、第三者が通信の内容を復号化できるようにすることなしに、第三者が携帯捕捉／追跡装置５００の記録の作動を検出することを可能にする。この特徴は、例えば個人用セキュリティシステム等における抑止力としての、自動的な選択の通知に用いることができる。他の具体例では、携帯捕捉／追跡装置５００を、少なくとも部分的に、例えばブルートゥース（登録商標）を用いた分散ＰＡＮ（personal area network：個人所有物間の局所的な通信ネットワーク）として実現することができる。後者（分散ＰＡＮ）の場合には、カメラ５０６、マイクロホン５０４、記憶モジュール５１２、ＧＰＳ受信機５１６が、トランシーバ５１４との通信用に、独立したＲＦネットワーク・インタフェースを有する。制御兼タイマー・モジュール５０２上で実行中のソフトウエア制御アプリケーション（図５には明示していない）は、携帯捕捉／追跡装置５００が入力機能の動作を調整することを可能にする。
【００５４】
さらに他の具体例では、携帯捕捉／追跡装置５００は、１種類以上のデータを記憶することによって、ユーザが個人用日記を作成することを可能にする。携帯捕捉／追跡装置５００は、少なくとも、現在のユーザ環境を表現するデータを記録することが可能であり、そして、記録したデータを送信可能にすることもできる。現在の環境を表現するデータは、音声、映像、時刻、温度、湿度、気圧、及び位置のデータを含むことができるが、これらに限定されない。このデータは、心拍リズム、体温、ユーザの動作指標、等の、ユーザについてのデータも含むことができる。この具体例の携帯捕捉／追跡装置５００は、常時オンのモードで動作して、このことは、装置５００を意図して使用する間には、装置５００がほとんどの時間において最良の状態にあることを意味する。ユーザが装置５００を手動でオン状態またはオフ状態に切り換えることも、まだ可能にすることができる。カムコーダ（ビデオカメラ）及び他の既知のＣＥ記録装置については、ユーザが記録すべく内容（コンテンツ）を決めることになる。即ち、ユーザは記録の時点で、オンボタン及びオフボタンを操作することによって、自分に関係するか、あるいは自分が興味のあるもの、及びそうでないものを選択する。本発明の実施例では、（記録）装置５００は、ユーザの動作にかかわらず、環境からの入力を捕捉することができる。本発明では、編集、例えば記録した内容の消去あるいは後処理は、例えば追跡センター５６０において後で行うことができる。この時点までに、関係性及び興味が、記録時点の関係性及び興味に対して完全に変化していることがある。既知の装置では、ユーザ自身が既に、前処理の手段によって編集を行っており、記録すべきものとそうでないものを選択している。本発明の実施例では、常時オン状態である特徴によって、この選択を延期することができる。
【００５５】
携帯捕捉／追跡装置５００はさらに、ＧＰＳ５１６及び／または環境入力５１８を具えて、これらは常時オンモードを制御することができる。例えば、ＧＰＳ５１６が、装置５００が特定範囲または特定領域外にあることを検出すると、常時オンの記録をオン状態またはオフ状態に切り換えることができる。環境入力５１８は、現在の環境あるいはユーザについてのことを表現する特定のデータを入力するために使用することができ、これらのデータは例えば、前述した温度、湿度、気圧、心拍リズム、体温、ユーザの動作の指標である。環境入力５１８によるデータ入力は、携帯捕捉／追跡装置５００内で解釈することができ、装置５００を種々の方法で制御することができる。例えば、装置５００は記録を開始または停止することができ、あるいは装置５００が、特定限界を超えたことにもとづいて開始または停止を行うことができ、ここでは例えば、この限界を事前に設定しておく。この限界はユーザが事前設定するか、あるいは、例えばオペレータが追跡センター５６０を用いて遠隔的に事前設定することができる。
【００５６】
本明細書の開示を読めば、他の変形例は当業者にとって明らかである。こうした変形例は、実時間通信を記録及び検索する装置の設計、製造、及び使用において既に知られている他の特徴を含むことができ、これらの特徴は、本明細書で既に記載した特徴の代りに、あるいはこれらの特徴に加えて用いることができる。本願の請求項は、これらの特徴の特定の組合せについて構成したものであるが、本願の開示する範囲は、明示的にせよ暗示的にせよ本明細書に開示したあらゆる新規の特徴またはこれらの特徴の新規の組合せ、及びこれらの特徴の一般化を含むことは明らかであり、本願発明が軽減する技術的問題のいずれか、あるいはすべての問題を軽減するか否かにはよらない。なお、本願、あるいは本願からさらに派生したあらゆる出願の手続き実行中に、これらの特徴についての新規の請求項を作成することがある。
【００５７】
本明細書中で用いた「具える」、「具えている」及びその活用形は、追加的な構成要素の存在を排除するものではない。
【図面の簡単な説明】
【００５８】
【図１】本発明による装置を図式的に示す図である。
【図２】ネットワークの具体例を示す図である。
【図３】本発明による特定の動作を示すフローチャートである。
【図４】セル電話において本発明を実施したブロック図である。
【図５】捕捉／追跡装置を有するシステムのブロック図である。
【符号の説明】
【００５９】
１０１  コンシューマ電子装置
１０２  ディスプレイ
１０３  キーパッド
１０４  機能指定装置
１０５  記録非選択ボタン
１０６  最終会話巻き戻しボタン
１０７  指回しダイヤル
２０１  コンシューマ電子装置
２０２  プロセッサ
２０３  メモリー
２０４  サーバー
２０５  プロセッサ
２０６  メモリー
２０７  接続
４００  セル電話機
４０２  マイクロホン
４０４  スピーカ
４０６  Ａ／Ｄ
４０８  音声コーデック
４１０  アンテナ
４１２  Ｄ／Ａ
４１４  記憶装置
４１６  ユーザインタフェース
５００  コンシューマ携帯捕捉／追跡装置
５０２  制御兼タイマー・モジュール
５０４  マイクロホン
５０６  カメラ
５０８  プリプロセッサ
５１０  ＡＶ再生モジュール
５１２  記憶モジュール
５１４  ＲＦトランシーバ
５１６  ＧＰＳ受信機
５１８  環境入力
５２０  ＲＦ搬送媒体
５４０  リモート記憶サービス装置
５４２  ＲＦトランシーバ
５４４  ポストプロセッサ
５４６  記憶モジュール
５４８  制御モジュール
５６０  通信記録台帳追跡センター
５６２  ＲＦトランシーバ
５６４  ポストプロセッサ
５６６  記憶モジュール
５６８  制御モジュール
５７０  ユーザインタフェース・モジュール
５７２  ＡＶ再生モジュール
【図１】
2005509337.tif 000003
【図２】
2005509337.tif 000004
【図３】
2005509337.tif 000005
【図４】
2005509337.tif 000006
【図５】
2005509337.tif 000007
【国際調査報告】
2005509337.tif 000008
2005509337.tif 000009